(57)【要約】【課題】光結合トレランスを大きくできる構造の光レセプタクルを提供する。【解決手段】光レセプタクル１１では、ホルダ１５はスリーブ１７を支持している。ガラス部材１３は光レセプタクル１１に係る光を伝搬できる。ホルダ１５は、所定の軸Ａｘの方向に延びる孔２１を含む。この孔２１においてガラス部材１３の第１の柱状部分１３ａを保持する。一端１３ｃは、光レセプタクル１１に光学的に結合される光コネクタプラグ２３への物理接触（ＰＣ）が可能なように設けられており、また他端１３ｄは、光サブアセンブリ３９に光学的に結合可能なように設けられている。スリーブ１７は、光コネクタプラグ２３を受け入れる。このガラス部材１３は、光ファイバのような光閉じ込めのために動径方向に関する屈折率分布を有しておらず、また光ファイバのコアのような高屈折率領域が軸Ａｘに沿って延びることもない。【選択図】図２
2010054615.tif 000002
【特許請求の範囲】
【請求項１】
光モジュールに搭載される光レセプタクルであって、
所定の軸の方向に配置された第１及び第２の柱状部分を有しており、前記所定の軸の方向の光を伝搬できる単一の屈折率の柱状のガラス部材と、
前記所定の軸の方向に延びる孔を含み、該孔において前記ガラス部材の前記第１の柱状部分を保持するホルダと、
前記ホルダに支持されており、当該光レセプタクルに光学的に結合される光コネクタプラグを受け入れ可能なスリーブと
を備え、
前記ガラス部材の一端は、前記光コネクタプラグへの物理接触が可能なように設けられており、
前記ガラス部材の他端は、前記光サブアセンブリに光学的に結合可能なように設けられており、
前記ガラス部材の直径は、光ファイバの直径と実質的に等しく、
前記ガラス部材の屈折率は、石英ガラスの屈折率に実質的に等しく、
前記ガラス部材の前記他端は前記所定の軸に対して傾斜している、ことを特徴とする光レセプタクル。
【請求項２】
前記ホルダは保持部材及び支持部材を含み、
前記保持部材は、前記孔を有しており、
前記保持部材の一端は、前記光コネクタプラグの一端と対面可能な面を有しており、
前記保持部材は、前記保持部材の他端から前記所定の軸の方向に延びる外側面を有しており、
前記支持部材は、前記所定の軸の方向に延び前記保持部材の前記外側面をガイドするガイド面を有し、
前記支持部材は前記保持部材を支持している、ことを特徴とする請求項１に記載された光レセプタクル。
【請求項３】
前記保持部材は前記所定の軸の方向に配列された第１及び第２の部分を含み、
前記第２の部分は前記保持部材の前記外側面を含み、
前記支持部材は前記第２の部分を保持しており、
前記第１の部分の少なくとも一部分が前記スリーブ内に位置するように、前記第１の部分は前記支持部材の表面から突出しており、
前記第１の部分は前記孔を含む、ことを特徴とする請求項２に記載された光レセプタクル。
【請求項４】
前記第２の柱状部分が前記ガラス部材の前記他端を含み、
前記ホルダは、前記孔に接続された別の孔を有しており、
前記孔及び前記別の孔は、前記所定の軸に沿って配置されており、
前記孔の断面サイズは前記別の孔の断面サイズより大きく、前記第２の柱状部は前記別の孔を通過しており、前記第２の柱状部の側面は前記別の孔の内側面から離れている、ことを特徴とする請求項１〜請求項３のいずれか一項に記載された光レセプタクル。
【請求項５】
前記ガラス部材は前記ホルダに樹脂により接着される、ことを特徴とする請求項１〜請求項４のいずれか一項に記載された光レセプタクル。
【請求項６】
前記ガイド面は、前記支持部材において前記所定の軸の方向に延びる貫通孔を形成し、前記保持部材の向きは前記貫通孔の向きによって規定される、ことを特徴とする請求項２または請求項３に記載された光レセプタクル。
【請求項７】
前記支持部材は、前記所定の軸の方向に交差する底面と、前記底面から前記所定の軸の方向に延びる通過孔とを有しており、
前記ガイド面は、支持孔を形成しており、前記通過孔の断面サイズは前記支持孔の断面サイズより小さい、ことを特徴とする請求項２または請求項３に記載された光レセプタクル。
【請求項８】
前記支持部材は、前記所定の軸の方向に延びる側壁を有しており、前記スリーブは前記側壁の内側面に支持されている、ことを特徴とする請求項２、請求項３、請求項６または請求項７に記載された光レセプタクル。
【請求項９】
前記スリーブは前記保持部材に嵌め込まれている、ことを特徴とする請求項２、請求項３、請求項６または請求項７に記載された光レセプタクル。
【請求項１０】
請求項１〜９のいずれか一項に記載された光レセプタクルと、
前記光レセプタクルに光学的に結合された半導体光素子と該半導体光素子を収容するハウジングとを含み、前記光レセプタクルに対して調芯された光サブアセンブリと
を含む、ことを特徴とする光モジュール。
【請求項１１】
前記ハウジングはステム及びキャンケースを含む、ことを特徴とする請求項１０に記載された光モジュール。
【請求項１２】
前記半導体光素子は受光素子を含み、該受光素子は前記光レセプタクルからの光を受ける、ことを特徴とする請求項１０または請求項１１に記載された光モジュール。
【請求項１３】
前記半導体光素子は発光素子を含み、前記光レセプタクルは前記発光素子からの光を受ける、ことを特徴とする請求項１０または請求項１１に記載された光モジュール。
【発明の詳細な説明】
【技術分野】
【０００１】
本発明は、光レセプタクル及び光モジュールに関する。
【背景技術】
【０００２】
特許文献１には光レセプタクルが記載されている。光レセプタクルでは、円柱状のフェルールに光ファイバが挿入されている。このフェルールがスリーブの一端に挿入されており、他端には光ファイバコネクタのプラグフェルールが挿入される。プラグフェルールの光ファイバは内蔵フェルールの光ファイバの一端と物理接触しており、これらは互いに光学的に接続される。内蔵フェルールの光ファイバの他端は発光素子からの光信号を受け、または受光素子は内蔵フェルールの光ファイバの他端からの光を受ける。
【０００３】
特許文献２には光レセプタクルが記載されている。光レセプタクルは、スタブと、スタブを保持するホルダとを備える。スタブは、光コネクタ中の光ファイバに接続される透明体を有する。この透明体は、フェルールの貫通孔内に保持される。スタブ中の透明体は、接続する光ファイバよりも大きな外径を有する。
【特許文献１】特開平１０−３３２９８８号公報
【特許文献２】特開２００６−２７６７３４号公報
【発明の開示】
【発明が解決しようとする課題】
【０００４】
光コネクタプラグと光レセプタクルとの接続では、プラグフェルールの光ファイバ及び内蔵フェルールの光ファイバの端部が物理的に接触するようにこれらの２つの光ファイバが軸方向に直列に配列されて、光ファイバの光結合が達成される。この接続の光結合特性は、光コネクタプラグの抜き差しを繰り返すとき、ときどき光結合において大きな変動を示す。この現象は、いわゆる挿抜特性が良くないというように表現される。また、光レセプタクルに接続された光コネクタプラグに対して上記の軸に垂直な方向から力を加えたとき、光結合特性の変動が大きくなる。このような接続特性の変動を小さくすることが望まれており、発明者らの検討によれば、この変動は、プラグフェルールの光ファイバと光レセプタクルとの接続における光結合トレランスが狭いことに起因する。
さらに円柱状のフェルールに光ファイバが挿入されている場合、光コネクタプラグの挿抜特性を確保するためにフェルールを長くしなければならず、それにともなって挿入される光ファイバも長くなることにより光路長が長くなり、光モジュールの小型化ができなかった。
【０００５】
本発明は、このような事情を鑑みて為されたものであり、上記の光結合トレランスを大きくできるとともに小型化・低コスト化ができる構造の光レセプタクルを提供することを目的とし、またこの光レセプタクルを含む光モジュールを提供することを目的とする。
【課題を解決するための手段】
【０００６】
本発明の一側面は、光サブアセンブリを含む光モジュールのための光レセプタクルである。この光レセプタクルは、（ａ）所定の軸の方向に配置された第１及び第２の柱状部分を有しており、前記所定の軸の方向の光を伝搬できる単一の屈折率の柱状のガラス部材と、（ｂ）前記所定の軸の方向に延びる孔を含み、該孔において前記ガラス部材の前記第１の柱状部分を保持するホルダと、（ｃ）前記ホルダに支持されており、当該光レセプタクルに光学的に結合される光コネクタプラグを受け入れ可能なスリーブとを備える。前記ガラス部材の一端は、前記光コネクタプラグへの物理接触が可能なように設けられており、前記ガラス部材の他端は、前記光サブアセンブリに光学的に結合可能なように設けられている。また前記ガラス部材の直径は、光ファイバの直径と実質的に等しく、屈折率は石英ガラスの屈折率に実質的に等しく、前記ガラス部材の前記他端は前記所定の軸に対して傾斜している。
【０００７】
この光レセプタクルによれば、光コネクタプラグは、光ファイバではなくガラス部材の一端と物理接触を成す。このガラス部材は、光ファイバのような光閉じ込めのための屈折率分布を光ファイバの動径方向に有していない。故に、光コネクタプラグとガラス部材との間の軸ズレが、光コネクタプラグと光ファイバのコアとの軸ズレと異なるように振る舞いを示し、光コネクタプラグとガラス部材との間の光結合性能を著しく低下させることはない。したがって、この光レセプタクルにおける光結合トレランスは、光コネクタプラグと光ファイバとの光結合トレランスに比べて大きくなる。また、光サブアセンブリは、光ファイバではなくガラス部材の他端に光学的に結合される。既に説明したように、ガラス部材は光閉じ込めのための屈折率分布を有していないので、この光レセプタクルにおける光結合トレランスは、光サブアセンブリと光ファイバとの光結合トレランスに比べて大きくできる。さらに、ホルダの孔が、光閉じ込めのための屈折率分布を有していないガラス部材の一部を保持するので、ホルダ孔の位置ずれに対する光結合トレランスを大きくできるとともに、光コネクタプラグの挿抜特性を確保するためにホルダを長くしなければならない場合でも、ガラス部材の長さは独自に設定することができ、光モジュールの小型化が可能である。
さらに本発明に係る光レセプタクルでは、前記ガラス部材は、光ファイバの直径と実質的に等しいことが好ましい。これにより、ガラス部材自体が光ファイバの製造技術を利用でき、大量生産が可能となるとともに、光ファイバの斜めへき開装置を利用でき、低コスト化が可能である。さらにこの光レセプタクルは、当該光レセプタクルの組み立てにおいて、光ファイバを用いる光レセプタクルの組み立てに用いられた装置を利用可能な構造を有する。
さらに本発明に係る光レセプタクルでは、前記ガラス部材の屈折率は、石英ガラスの屈折率に実質的に等しいことが好ましい。この光レセプタクルによれば、光ファイバとガラス部材との屈折率差を小さくできる。
本発明に係る光レセプタクルでは、前記ガラス部材の前記他端は前記所定の軸に対して傾斜していることが好ましい。この光レセプタクルによれば、ガラス部材の他端で光が反射される場合、この反射光が光サブアセンブリに入射することがない。
【０００８】
本発明に係る光レセプタクルでは、前記ホルダは保持部材及び支持部材を含み、前記保持部材は、前記孔を有しており、前記保持部材の一端は、前記光コネクタプラグの一端と対面可能な面を有しており、前記保持部材は、前記保持部材の他端から前記所定の軸の方向に延びる外側面を有しており、前記支持部材は、前記所定の軸の方向に延び前記保持部材の前記外側面をガイドするガイド面を有し、前記支持部材は前記保持部材を保持することができる。
【０００９】
この光レセプタクルによれば、光コネクタプラグと光レセプタクルとの光結合のために保持部材の孔及び外側面が共に所定の軸の方向に延びると共に、支持部材のガイド面が所定の軸の方向に延びるので、支持部材への固定において保持部材の孔を所定の軸の方向に向きづけることができる。支持部材は、保持部材内のガラス部材と光コネクタプラグとの接続を可能にする構造を有している。ホルダが保持部材及び支持部材を含むので、支持部材が、光レセプタクルに求められる機能に応じた形状を有することができると共に、保持部材が、所望の加工精度を提供可能な形状を有する。
【００１０】
本発明に係る光レセプタクルでは、前記保持部材は、前記所定の軸の方向に配列された第１及び第２の部分を含み、前記第２の部分は前記保持部材の前記外側面を有しており、前記支持部材は前記第２の部分を保持している。前記第１の部分の少なくとも一部分が前記スリーブ内に位置するように、前記第１の部分は前記支持部材の表面から突出しており、前記第１の部分は前記孔を含むことができる。この光レセプタクルによれば、第１の部分が支持部材の表面から突出しているので、ガラス部材の一端と光コネクタプラグとの物理接触がスリーブ内において可能になる。
【００１１】
本発明に係る光レセプタクルでは、前記第２の柱状部分が前記ガラス部材の前記他端を含み、前記ホルダは、前記孔に接続された別の孔を有しており、前記孔及び前記別の孔は、前記所定の軸に沿って配置されており、前記孔の断面サイズは前記別の孔の断面サイズより大きく、前記第２の柱状部は前記別の孔を通過しており、前記第２の柱状部の側面は前記別の孔の内側面から離れていることができる。
【００１２】
この光レセプタクルによれば、ガラス部材の第２の柱状部の側面は第２の孔の内側面から離れている。当該光レセプタクルが発光サブアセンブリと結合するとき、ガラス部材の他端に入射する光が別の孔によって遮られることがない。また、当該光レセプタクルが受光サブアセンブリと結合するとき、ガラス部材の他端から出射する光が別の孔によって遮られることがない。
【００１３】
本発明に係る光レセプタクルでは、前記ホルダは、前記孔に接続された別の孔を有しており、前記孔及び前記別の孔は、前記所定の軸に沿って配置されており、前記孔の断面サイズは前記別の孔の断面サイズより大きく、前記第２の柱状部は前記別の孔を通過しており、前記第２の柱状部の側面は前記第２の孔の内側面から離れており、前記ガラス部材は前記ホルダに樹脂により接着されることができる。
【００１４】
この光レセプタクルによれば、ガラス部材の樹脂固定に樹脂が用いられる。この固定のための樹脂の余剰分は、ホルダの別の孔に溜まるので、第２の柱状部の端部に余剰な樹脂が回り込まない。
【００１５】
本発明に係る光レセプタクルでは、前記ガイド面は、前記支持部材において前記所定の軸の方向に延びて貫通孔を形成し、前記保持部材の向きは前記貫通孔の向きによって規定されることができる。この光レセプタクルによれば、保持部材の向きは支持部材の貫通孔によりしっかりと規定される。故に、光レセプタクル及び光コネクタプラグの光学系の光軸に対して、保持部材の軸ずれが生じない。
【００１６】
本発明に係る光レセプタクルでは、前記支持部材は、前記所定の軸の方向に交差する底面と、前記底面から前記所定の軸の方向に延びる通過孔とを有しており、前記ガイド面は支持孔を形成しており、前記通過孔の断面サイズは前記支持孔の断面サイズより小さい。
【００１７】
この光レセプタクルによれば、保持部材の向きは支持部材の支持孔によりしっかりと規定される。故に、光レセプタクル及び光コネクタプラグの光学系の光軸に対して、保持部材の軸ずれが生じない。
【００１８】
本発明に係る光レセプタクルでは、前記支持部材は、前記所定の軸の方向に延びる側壁を有しており、前記スリーブは前記側壁の内側面に支持されていることができる。
【００１９】
この光レセプタクルによれば、ガラス部材を保持する保持部材と光コネクタプラグとの光結合が、支持部材の側壁に支持されたスリーブ内において行われる。
【００２０】
本発明に係る光レセプタクルでは、前記スリーブは前記保持部材に嵌め込まれていることができる。この光レセプタクルによれば、保持部材が保持するガラス部材と光コネクタプラグとの光結合が、保持部材に嵌め込まれたスリーブ内において行われる。
【００２１】
本発明に係る光レセプタクルでは、前記ホルダは、更なる別の孔を有しており、前記別の孔は前記孔と前記更なる別の孔との間に位置し、前記更なる別の孔のサイズは前記別の孔のサイズより大きいことができる。この光レセプタクルによれば、更なる別の孔の断面サイズを調整することによって、光サブアセンブリに対する立体角がホルダに遮られることを防ぐことができる。ホルダによる遮断による光結合の低下が生じない。また、本発明に係る光レセプタクルでは、前記スリーブは精密スリーブまたは割りスリーブであることができる。
【００２２】
本発明の別の側面に係る光モジュールは、（ａ）上記いずれかの光レセプタクルと、（ｂ）前記光レセプタクルに光学的に結合された半導体光素子と該半導体光素子を収容するハウジングとを含み、前記光レセプタクルに対して調芯された光サブアセンブリとを含む。この光モジュールによれば、光結合トレランスを大きくできる。
【００２３】
本発明に係る光モジュールでは、前記ハウジングはステム及びキャンケースを含むことができる。この光モジュールによれば、小型の光サブアセンブリが提供される。
【００２４】
本発明に係る光モジュールでは、前記半導体光素子は受光素子を含み、該受光素子は前記光レセプタクルからの光を受けることができる。この光モジュールによれば、光結合トレランスを大きくできる受光モジュールが提供される。
【００２５】
本発明に係る光モジュールでは、前記半導体光素子は発光素子を含み、前記光レセプタクルは前記発光素子からの光を受けることができる。この光モジュールによれば、光結合トレランスを大きくできる発光モジュールが提供される。
【００２６】
本発明の上記の目的および他の目的、特徴、並びに利点は、添付図面を参照して進められる本発明の好適な実施の形態の以下の詳細な記述から、より容易に明らかになる。
【発明の効果】
【００２７】
以上説明したように、本発明によれば、光結合トレランスを大きくできるとともに小型化・低コスト化ができる構造の光レセプタクルが提供される。また、本発明の別の側面によれば、この光レセプタクルを含む光モジュールが提供される。
【発明を実施するための最良の形態】
【００２８】
本発明の知見は、例示として示された添付図面を参照して以下の詳細な記述を考慮することによって容易に理解できる。引き続いて、添付図面を参照しながら、本発明の光レセプタクル及び光モジュールに係る実施の形態を説明する。可能な場合には、同一の部分には同一の符号を付する。
【００２９】
図１は、本実施の形態に係る光レセプタクルの主要な構造を示す図面である。図２は、本実施の形態に係る光レセプタクルのホルダ及びガラス部材を示す図面である。図３は、本実施の形態に係る光レセプタクルの構成部品を示す図面である。
【００３０】
光レセプタクル１１は、柱状のガラス部材１３と、ホルダ１５と、スリーブ１７とを備える。ホルダ１５はスリーブ１７を支持している。スリーブ１７は、光レセプタクル１１に光学的に結合される光コネクタプラグ２３を受け入れ可能である。光コネクタプラグ２３は光ファイバ２５の一端に設けられる。スリーブ１７は、光コネクタプラグ２３を受け入れる一端１７ａと、ホルダ１５の一部分を受け入れる他端１７ｂを含む。また、スリーブ１７は、一端１７ａから他端１７ｂまで所定の軸Ａｘの方向に延びる内側面１７ｄを有しており、内側面１７ｄは光コネクタプラグ２３をガイド可能なように設けられている。スリーブ１７は、例えば精密スリーブ（「剛体スリーブ」とも呼ばれる）または割りスリーブ（「弾性スリーブ」とも呼ばれる）であることができる。スリーブの材料は、例えばジルコニア、りん青銅、プラスチック等であることができる。
【００３１】
ガラス部材１３は前記所定の軸の方向の光を伝搬させることができる。光レセプタクル１１が、例えば発光サブアセンブリと共に用いられるとき、発光サブアセンブリからの光がガラス部材１３を伝搬する。或いは、光レセプタクル１１が例えば受光サブアセンブリと共に用いられるとき、ガラス部材１３を伝搬した光が受光サブアセンブリに入射する。ガラス部材１３は、所定の軸Ａｘの方向に配置された第１及び第２の柱状部分１３ａ、１３ｂを有する。また、ガラス部材１３は一端１３ｃ及び他端１３ｄを有する。一端１３ｃは、光コネクタプラグ２３へ物理接触（ＰＣ）が可能なように設けられており、また他端１３ｄは、光サブアセンブリに光学的に結合可能なように設けられている。図２に示されるように、ホルダ１５は、所定の軸Ａｘの方向に延びる孔２１を含む。この孔２１においてガラス部材１３の第１の柱状部分１３ａを保持する。
【００３２】
この光レセプタクル１１によれば、光コネクタプラグ２３は、光ファイバではなくガラス部材１３の一端１３ｃと物理接触（ＰＣ）を成す。このガラス部材１３は、光ファイバのような光閉じ込めのための屈折率分布（動径方向に関する屈折率分布）を有しておらず、また光ファイバのコアのような高屈折率領域が軸Ａｘに沿って延びることもない。故に、光コネクタプラグ２３とガラス部材１３との光結合における軸ズレが、これらの部材２３、１３間の光結合性能を著しく低下させることはない。この点において、光レセプタクル１１における上記の光結合は、光コネクタプラグ２３と光ファイバのコアとの光結合における軸ズレと異なる。したがって、この光レセプタクル１１における光結合トレランスは、光コネクタプラグ２３と光ファイバとの光結合トレランスに比べて大きくできる。また、光サブアセンブリは、光ファイバではなくガラス部材１３の他端１３ｄに光学的に結合される。既に説明したように、動径方向に関する光閉じ込めを可能にする屈折率分布はガラス部材１３に設けられていないので、この光レセプタクル１１における光結合トレランスは、光サブアセンブリと光ファイバとの光結合トレランスに比べて大きくできる。さらに、ホルダ１５の孔２１が、光閉じ込めのための屈折率分布を有していないガラス部材１３を保持するので、ホルダ孔２１の位置ずれに対する光結合トレランスを大きくできる。
【００３３】
光ファイバにおける光伝搬ではクラッドモード／コアモードといった複数の導波モードが生成される。ガラス部材１３ではなく光ファイバを用いる光レセプタクルでは、クラッドモード光をコアへ侵入させる一時的な光結合が光コネクタプラグ及び光レセプタクルの挿抜において生じる。これが、光出力変動（ウイグル）の一因であると考えられる。一方、ガラス部材１３にはコア／クラッドの区別がないので、光伝搬に関してクラッドモード／コアモードといった複数の導波モードが生成されることがない。故に、光コネクタプラグ及び光レセプタクルの挿抜において、光出力の変動が低減される。
さらにこの光レセプタクル１１によればホルダ１５は、所定の軸Ａｘの方向に延びる孔２１を含み、この孔２１においてガラス部材１３の第１の柱状部分１３ａを保持する。この構造により、光コネクタプラグの挿抜特性を確保するためにホルダを長くする場合でも、ガラス部材はそれにかかわらず設計できる。したがって従来構造の円柱状のフェルールの全長にわたって光ファイバが挿入されている場合、光コネクタプラグの挿抜特性確保のためにフェルールを少なくとも３ｍｍ程度にするため、光モジュールの小型化ができなかったが、本発明の実施の形態の光レセプタクルではホルダ長にかかわらずガラス部材の長さを独自に設定できるため光モジュールの小型化が可能である。
【００３４】
ホルダ１５は保持部材２７及び支持部材２９を含むことができる。保持部材２７は孔２１を含む。保持部材２７は一端部２７ａ及び他端部２７ｂを有しており、一端部２７ａには、光コネクタプラグ２３の一端と対面可能な面２７ｃが設けられ、また他端部２７ｂには、ガラス部材１３の他端１３ｄの光結合を可能にする開口が設けられる。保持部材２７は、他端部２７ｂから所定の軸Ａｘの方向に延びる外側面２７ｄを有する。支持部材２９は保持部材２７を保持している。支持部材２９はガイド面２９ａを有しており、このガイド面２９ａは所定の軸Ａｘの方向に延びると共に保持部材２７の外側面２７ｄをガイドする。
【００３５】
この光レセプタクル１１によれば、支持部材２９のガイド面２９ａが所定の軸Ａｘの方向に延びるので、支持部材２９に保持された保持部材２７の孔２１を所定の軸Ａｘの方向に向けることができる。また、支持部材２９は、保持部材２７内のガラス部材１３と光コネクタプラグ２３との接続を可能にする構造を有するように形成される。ホルダ１５が保持部材２７及び支持部材２９を含むので、支持部材２９が、光レセプタクル１１に求められる機能（例えば、光コネクタプラグの接続及び光サブアセンブリの位置決め）に応じた形状を有することができると共に、保持部材２７に、ガラス部材１３の保持のために求められる加工精度を提供可能な形状を付与できる。
【００３６】
この光レセプタクル１１の実施例では、外側面２７ｄは保持部材２７の他端部２７ｂから一端部２７ａまで延びている。光レセプタクル１１と光コネクタプラグ２３との光結合のために、保持部材２７の孔２１及び外側面２７ｄの両方が所定の軸Ａｘの方向に延びるので、所望の寸法精度で保持部材２７を形成することが容易である。これ故に、保持部材２７における孔２１の位置精度の向上だけでなく、支持部材２９に保持された保持部材２７と支持部材２９からなるホルダ１５における孔２１の位置精度の向上が容易である。
【００３７】
光レセプタクル１１では、ガラス部材１３の形状は、円柱であることができる。ガラス部材１３は、ガラス細線であり、好適にはその直径は例えば８０〜１２６マイクロイメートルであることができる。具体的には、ガラス部材１３は、光ファイバの直径と実質的に等しいことが好ましく、このガラス部材１３の直径は例えば１２５マイクロメートルであることができ、直径の公差は例えば１マイクロメートル程度（つまり、径の範囲は１２４〜１２６マイクロメートルである）であることができる。この形状であれば従来の光ファイバの線引き技術が適用でき、大量生産に適している。ガラス部材１３の長さは、保持部材２７の長さより短く、保持部材２７の孔２１の長さよりも長い。ガラス部材１３の長さは例えば５００マイクロメートル程度である。また、保持部材２７の孔２１の長さは例えば３００マイクロメートル程度である。
【００３８】
この光レセプタクル１１の組み立てにおいて、ガラス部材１３の代わりに光ファイバを用いた光レセプタクルの組み立てに用いられた装置を利用可能である。ガラス部材１３の屈折率は石英ガラスの屈折率に実質的に等しいことが好ましい。光コネクタプラグ２３と光レセプタクル１１との接続面における反射が低減される。その屈折率は例えば１．４６２程度（０．１パーセント以下の反射率を得るためには、１．４６２−０．０４５〜１．４６２＋０．０４５である）である。光コネクタプラグ２３の光ファイバ２５とガラス部材１３との屈折率差を小さくでき、当該接触面における光反射を低減できる。ガラス部材１３の材料は、例えば石英ガラスからなることができる。一方、保持部材２７は、例えばジルコニア、アルミナ、金属等からなることができる。保持部材２７の一端２７ａは、光学ガラス部材１３と光コネクタプラグとの物理接触（ＰＣ）が確実に得られるように、凸面を形成するように加工されることが好ましい。この加工は例えばＰＣ研磨により行われる。一例の保持部材２７の径は、ＦＣコネクタ、ＳＣコネクタでは２．５ｍｍであり、ＬＣコネクタ、ＭＵコネクタでは１．２５ｍｍであることができる。一端２７ａの凸面加工における曲率半径は、例えば２０ｍｍ〜２５ｍｍ程度であることが好ましい。この程度の曲率半径では、レンズ機能は無視できる程度に小さい。より具体的には、光コネクタプラグ２３の光ファイバの光軸と凸面の頂点とのズレ量は、５０マイクロメートル以下であることが好ましく、また凸面に対するガラス部材１３の一端１３ａの引き込み量は、例えば−０．０５マイクロメートル〜＋０．１マイクロメートルである。
【００３９】
ガラス部材１３の他端１３ｄは所定の軸Ａｘに対して傾斜していることが好ましい。この傾斜角は例えば６度である。ガラス部材１３の他端１３ｄで光が反射される場合、この反射光が光サブアセンブリに入射することがない。この傾斜角は例えば４度〜１０度程度である。また、保持部材２７がガラス部材１３の一部分を保持するので、ガラス部材１３の他端１３ｄは、保持部材２７に保持されない自由端になる。故に、反射低減のための傾斜を、保持部材２７の他端２７ｂに設けることなく他端１３ｄに設けることが可能になる。この形態は以下のように作製可能である。ガラス部材１３の他端１３ｄを斜めにへき開した後に、保持部材２７に挿入する。他端１３ｄに傾斜を形成するために、保持部材２７の他端１３ｄを研磨する必要がない。ガラス部材１３の一端１３ｃをＰＣ研磨して、緩やかな凸面を形成する。
【００４０】
ガラス部材１３の直径を光ファイバの直径に等しくすることは、以下のような事項において好適である。ガラス部材１３は、光ファイバの作製装置を利用して同様に作製された長尺のガラス細線を所望の長さに切断することによって作製される。つまり、ガラス部材１３の作製に、光ファイバの作製装置を流用できる。また、保持部材２７の加工において、保持部材２７を光ファイバに適用するように作製することによって、本実施の形態に適用可能な保持部材２７が作製可能である。さらに、ＰＣ研磨も、光ファイバ用のフェルールを作製する条件で行われる。またさらに、ガラス部材１３の他端１３ｄの傾斜面を形成する加工でも、光ファイバ用のへき開器を流用できる。一方、ガラス部材１３は動径方向に関して実質的に一定の屈折率分布を示すので、ガラス部材１３における光は、光ファイバのようにコア／クラッドと区別に関係なく伝搬する。故に、ガラス部材１３を保持する保持部材２７の孔の位置精度及び該孔へのガラス部材１３の保持部材２７への固定の位置精度は、光ファイバを保持するファイバスタブに要求される値に比べて緩和可能である。しかしながら、同様の精度で保持部材２７を作製することができる。
【００４１】
光レセプタクル１１では、保持部材２７は第１の部分２７ｅ及び第２の部分２７ｆを含み、第１及び第２の部分２７ｅ、２７ｆは所定の軸Ａｘの方向に配列されている。支持部材２９は第２の部分２７ｆを保持する。第１の部分２７ｅは支持部材２９から突出しており、これによって、保持部材２７では、第１の部分２７ｅの少なくとも一部分がスリーブ１７内に位置する。第１の部分２７ｅは孔２１を含むと共に、第２の部分２７ｆは外側面２７ｄを有する。この構造によれば、第１の部分２７ａが支持部材２９の表面から突出しているので、ガラス部材１３の一端１３ｃと光コネクタプラグ２３との物理接触がスリーブ１７において可能になる。孔２１の長さは第１の部分２７ｅの長さより短い。
【００４２】
図２に示されるように、ガラス部材１３の第２の柱状部分１３ｂがガラス部材１３の他端１３ｄを含む。ホルダ１５は、孔２１に接続された別の孔３１を有する。孔２１、３１は、所定の軸Ａｘに沿って配置されている。孔３１の断面サイズは孔２１の断面サイズより大きい。第２の柱状部１３ｂの側面は孔２１の内側面によりガイドされる一方で、第２の柱状部１３ｂは孔３１を通過する。第２の柱状部１３ｂの側面は孔３１の内側面３１ａから離れている。
【００４３】
ガラス部材１３の第２の柱状部１３ｂの側面は孔３１の内側面３１ａから離れているので、光レセプタクル１１が発光サブアセンブリと結合するとき、ガラス部材１３の他端１３ｄに入射する光が孔３１によって遮られることがない。また、光レセプタクル１１が受光サブアセンブリと結合するとき、ガラス部材１３の他端１３ｄから出射する光が孔３１によって遮られることがない。
【００４４】
ガラス部材１３がホルダ１５に樹脂により接着される光レセプタクルでは、ガラス部材１３は樹脂固定により孔２１に固定される。この固定のための樹脂の余剰分は、ホルダ１５の孔３１に溜まる。第２の柱状部１３ｂが孔２１から突出するので、第２の柱状部１３ｂの端部１３ｄに余剰な樹脂が回り込まない。接着用の樹脂としては、熱硬化型のエポキシ樹脂等を用いることができる。
【００４５】
光レセプタクル１１の一実施例では、ホルダ１５の保持部材２７は、更なる別の孔４１を有することができる。孔３１は孔２１と孔４１との間に位置し、孔４１の断面サイズは孔３１の断面サイズより大きい。この光レセプタクル１１によれば、孔４１の断面サイズを調整することによって、ガラス部材１３の一端１３ｄにおける光サブアセンブリ１１のレンズに対する立体角が保持部材２７に遮られることを防ぐことができる。ホルダ１５による遮断に起因する光結合の低下が生じない。また、孔２１、孔３１、孔４１の断面サイズを段階的に大きくすることによって、保持部材２７が十分な厚さの側壁（外側面２７ｄと孔２１、３１、４１の側面２１ａ、３１ａ、４１ａとの間隔）を有することができる。
【００４６】
支持部材２９のガイド面２９ａは、所定の軸Ａｘの方向に延びる貫通孔２９ｂを規定する。この貫通孔２９ｂの向きによって、保持部材２７の向きが規定される。この光レセプタクル１１によれば、保持部材２７の向きは支持部材２１の貫通孔２９ｂによりしっかりと規定されるので、光レセプタクル１１及び光コネクタプラグ２３の光学系の光軸に対して、保持部材２７の軸ずれが生じ難い。
【００４７】
貫通孔２９ｂは、所定の軸Ａｘの方向に配列された第１の部分２９ｃ及び第２に部分２９ｄを含む。第１の部分２９ｃと第２に部分２９ｄとの間には、段差２９ｅがある。段差２９ｅは、所定の軸Ａｘに交差する平面に沿って延びる底面２９ｆを含む。貫通孔２９ｂは保持部材２７が挿入されて、保持部材２７の他端２７ｂが底面２９ｆに到達することないＺ軸座標の範囲で、保持部材２７が調芯される。この結果、保持部材２７は、軸Ａｘの方向に関して位置決めされる。この挿入は例えば圧入であることができる。
【００４８】
この光レセプタクル１１では、保持部材２７の向きは支持部材２９のガイド面２９ｂによりしっかりと規定されるので、光レセプタクル１１及び光コネクタプラグ２３の光学系において、光コネクタプラグ２３の位置を規定できると共に保持部材２７の軸ずれも生じない。
【００４９】
図１及び図３に示されるように、支持部材２９は、ガイド部３３及び位置決め部３５を含む。位置決め部３５が保持部材２７の保持のための構造を有している。支持部材２９の一端部には、所定の軸の方向に延びる側壁２９ｇが設けられている。側壁２９ｇは、スリーブ１７の挿入の際にスリーブ１７を案内し、また挿入の後においてスリーブ１７を保護している。本実施例は、スリーブ１７は、保持部材２７の第１の部分２７ｅの外側面に沿って挿入される。この挿入は例えば圧入であることができる。この光レセプタクルによれば、ガラス部材を保持する保持部材２７と光コネクタプラグ２３との光結合が、保持部材２７の第１の部分２７ｅに嵌め合わされたスリーブ内において行われる。
【００５０】
また、スリーブ１７を保持部材２７に挿入する際に変形がいずれかの部品に生じる可能性がある。スリーブ１７の外周が側壁２９ｇから離れているので、この変形による構成部品間の相互干渉を避けることができる。
【００５１】
或いは、スリーブ１７は、側壁２９ｇの内側面に支持されていることができる。この光レセプタクルによれば、ガラス部材を保持する保持部材と光コネクタプラグとの光結合が、支持部材の側壁に支持されたスリーブ１７内において行われる。スリーブ１７は、支持部材２９の位置決め面２９ｈに突き当たって位置決めされる。位置決め面２９ｈは、軸Ａｘに交差する平面に沿って延びている。側壁２９ｇは位置決め面２９ｈのところで終端する。
【００５２】
図３及び図４に示されるように、ガイド部３３は、光レセプタクル１１を光サブアセンブリ３９に光学的に調芯して取り付けるための構造を有する。ガイド部３３は位置決め部３５に繋がっている。ガイド部３３は、光サブアセンブリ３９を受け入れる開口部３３ａを有する。ガイド部３３が貫通孔２９ｄを含むと共に開口部３３ａが貫通孔２９ｄを介して貫通孔２９ｃに繋がっているので、光サブアセンブリ３９がガラス部材１３と光学的に結合可能である。ガイド部３３の端部３３ｂは、光サブアセンブリ３９を挿入する受け入れ口３３ｃを有しており、端部３３ｂから所定の事項Ａｘの方向にガイド壁３３ｄが延びている。このガイド壁３３ｄの内面３３ｅによって、光サブアセンブリ３９の外周に沿って光レセプタクル１１が移動可能になる。
【００５３】
図４及び図５に示されるように、光モジュール４３は、光レセプタクル１１及び光サブアセンブリ３９を含む。光サブアセンブリ３９は、光レセプタクル１１に対して調芯されて、この結果、光レセプタクル１１のガラス部材１３は光サブアセンブリ３９内の半導体光素子４５に光学窓５３を介して光学的に結合されている。この光モジュール４３によれば、光結合トレランスを大きくできる。
【００５４】
この光モジュール４３では、光レセプタクル１１によれば、ガラス部材１３の第２の柱状部１３ｂの側面がホルダ１５の孔３１、４１の内側面３１ａ、４１ａから離れているので、ガラス部材１３の他端近傍においてホルダ１５による反射は生じない。
【００５５】
また、光コネクタプラグ２３を光モジュール４３に接続した光学系において、この光学系の光軸に垂直な軸の方向に対して光コネクタプラグ２３に力を加えると、光コネクタプラグ２３及び光モジュール４３の光接続を介して伝搬する光の出力値が変動する。本実施の形態のようにガラス部材１３を用いる光モジュール４３における変動は、光ファイバを用いる光モジュールにおける変動に比べて小さい。
【００５６】
図５は、本実施の形態に係る光モジュールの構造を詳細に示す図面である。光サブアセンブリ３９において、半導体光素子４５は、ハウジング４７内に設けられている。ハウジング４７はステム４９及びキャップ５１を含むことができ、これにより小型のキャンケースを用いた光サブアセンブリが提供される。キャップ５１は光学窓５３を支持している。光学窓５３は例えば光学レンズである。ステム４９は半導体光素子４５を搭載する搭載面４９ａを有しており、平板状の部材である。キャップ５１は、一端部５１ａ及び他端部５１ｂと、光レセプタクル１１の位置合わせのために利用可能な側壁部５１ｃとを含む。キャップ５１の一端部５１ａはステム４９上に固定されて半導体光素子４５を収容するためにキャビティを規定する。他端部５１ｂは、光学窓５３を支持する天井部を含む。また、ステム４９は、光サブアセンブリ３９内の電子素子の接続のために複数のリード端子５５ａ、５５ｂ、５５ｃを有する。複数のリード端子５５ａ、５５ｂ、５５ｃは、ステム４９において所定の軸Ａｘの方向に延びる貫通孔４９ｂに支持されている。半導体光素子４５は、リード端子５５ａ、５５ｂ、５５ｃの少なくともいずれかに接続されている。貫通孔４９ｂとリード端子５５ａ、５５ｂ、５５ｃとの間には気密封止のためにガラス体が充填されている。
【００５７】
半導体光素子４５が半導体発光素子を含むとき、当該半導体発光素子からの光は、光サブアセンブリ３９の光学レンズを介してガラス部材１３に入射する。故に、光結合トレランスを大きくできる発光モジュールが提供される。この光サブアセンブリ３９は発光サブアセンブリと呼ばれる。発光サブアセンブリは、半導体発光素子からの光をモニタするための半導体受光素子５７を更に含む。半導体光素子４５が半導体受光素子を含むとき、ガラス部材１３からの光は、光サブアセンブリ３９の光学レンズを介して当該半導体受光素子に入射する。故に、光結合トレランスを大きくできる受光モジュールが提供される。この光サブアセンブリ３９は受光サブアセンブリと呼ばれる。受光サブアセンブリでは、半導体受光素子はステム４９上に搭載されることができる。光サブアセンブリ３９では、半導体発光素子としてレーザダイオードが用いられ、半導体受光素子としてフォトダイオードが用いられる。
【００５８】
図６は、本実施の形態に係る光レセプタクルを示す図面である。図７は、本実施の形態に係る光レセプタクルのホルダ及びガラス部材を示す図面である。図８は、本実施の形態に係る光レセプタクルの構成部品を示す図面である。図９は、本実施の形態に係る光モジュールを示す図面である。
【００５９】
光レセプタクル６１は、柱状のガラス部材１３と、ホルダ６５と、スリーブ６７とを備える。ホルダ６５はスリーブ６７を支持している。スリーブ６７は、光レセプタクル６１に光学的に結合される光コネクタプラグ２３を受け入れ可能である。スリーブ６７は、光コネクタプラグ２３を受け入れる一端６７ａと、ホルダ６５の一部分を受け入れる他端６７ｂとを含む。また、スリーブ６７は、一端６７ａから他端６７ｂまで所定の軸Ａｘの方向に延びる内側面６７ｄを有しており、内側面６７ｄは光コネクタプラグ２３をガイド可能なように設けられている。スリーブ６７は、光コネクタプラグ２３を受け入れる一端６７ａから延びる厚い側部と、他端６７ｂに保持部材２７を受け入れ可能な内径を提供するために薄い側部とを有することができる。
【００６０】
ガラス部材１３は該光レセプタクル６１に係る光を伝搬できる。光レセプタクル６１が、例えば発光サブアセンブリと共に用いられるとき、発光サブアセンブリからの光がガラス部材１３を伝搬する。或いは、光レセプタクル６１が、例えば受光サブアセンブリと共に用いられるとき、ガラス部材１３を伝搬した光が受光サブアセンブリに入射する。図７に示されるように、ホルダ６５は、所定の軸Ａｘの方向に延びる孔２１を含む。この孔２１においてガラス部材１３の第１の柱状部分１３ａを保持する。ガラス部材１３の一端１３ｃは、光コネクタプラグ２３への物理接触（ＰＣ）が可能なように設けられており、また他端１３ｄは、光サブアセンブリ３９に光学的に結合可能なように設けられる。
【００６１】
この光レセプタクル６１でも、光レセプタクル１１と同様に、光コネクタプラグ２３は、光ファイバではなくガラス部材１３の一端１３ｃと物理接触（ＰＣ）を成す。光レセプタクル６１も、光レセプタクル１１と同様に、この物理接触の技術寄与を得ることができる。したがって、この光レセプタクル６１における光結合トレランスは、光コネクタプラグ２３と光ファイバとの光結合トレランスに比べて大きくできる。また、光サブアセンブリ６１は、光ファイバではなくガラス部材１３の他端１３ｄに光学的に結合される。動径方向に関する光閉じ込めを可能にする屈折率分布はガラス部材１３に設けられていないので、この光レセプタクル６１における光結合トレランスは、光サブアセンブリと光レセプタクル内の光ファイバとの光結合トレランスに比べて大きくできる。さらに、ホルダ６５の孔２１が、光閉じ込めのための屈折率分布を有していないガラス部材１３を保持するので、ホルダ孔２１の位置ずれに対する光結合トレランスを大きくできる。光レセプタクル６１においても、ガラス部材１３にはコア／クラッドの区別がないので、光伝搬に関してクラッドモード／コアモードといった複数の導波モードが生成されることがない。故に、光コネクタプラグ及び光レセプタクルにおける挿抜において、光出力の変動が低減される。
【００６２】
ホルダ６５は、光レセプタクル１１に用いられた保持部材２７に加えて、支持部材６９を含むことができる。支持部材６９はガイド面６９ａを有しており、このガイド面６９ａは所定の軸Ａｘの方向に延びると共に保持部材２７の外側面２７ｄをガイドする。支持部材６９は保持部材２７を保持している。
【００６３】
この光レセプタクル６１によれば、支持部材６９のガイド面６９ａが所定の軸Ａｘの方向に延びるので、支持部材６９に保持された保持部材２７の孔２１を所定の軸Ａｘの方向に向けることができる。また、支持部材６９は、保持部材２７内のガラス部材１３と光コネクタプラグ２３との接続を可能にする構造を有するように形成される。ホルダ６５が保持部材２７及び支持部材６９を含むので、支持部材６９が、光レセプタクル６１に求められる機能（例えば、光コネクタプラグとの接続及び光サブアセンブリとの位置決め）に応じた形状を有することができると共に、保持部材２７が、ガラス部材１３の保持のために求められる加工精度を提供可能な形状を有することができる。
【００６４】
この光レセプタクル６１の実施例では、保持部材２７における孔２１の位置精度の向上だけでなく、支持部材６９に保持された保持部材２７と支持部材６９からなるホルダ６５における孔２１の位置精度の向上が容易である。
【００６５】
光レセプタクル６１では、支持部材６９は、保持部材２７の第２の部分２７ｆを保持する。第１の部分２７ｅは支持部材６９から突出しており、これによって、保持部材２７では、第１の部分２７ｅの少なくとも一部分がスリーブ６７内に位置する。第１の部分２７ｅは孔２１を含むと共に第２の部分２７ｆは外側面２７ｄを有する保持構造によれば、第１の部分２７ａが支持部材６９の表面から突出しているので、ガラス部材１３の一端１３ｃと光コネクタプラグ２３との物理接触がスリーブ６７内において可能になる。
【００６６】
支持部材６９のガイド面６９ａは、所定の軸Ａｘの方向に延びる貫通孔６９ｂを規定する。この貫通孔６９ｂの向きによって、保持部材２７の向きが規定される。この光レセプタクル６１によれば、保持部材２７の向きは支持部材６９の貫通孔６９ｂによりしっかりと規定されるので、光レセプタクル６１及び光コネクタプラグ２３の光学系の光軸に対して、保持部材２７の軸ずれが生じ難い。
【００６７】
貫通孔６９ｂは、支持部材６９の一端から他端まで所定の軸Ａｘに沿って延びている。支持部材６９は、後ほど説明されるジョイントスリーブ６３上に搭載される。貫通孔６９ｂの一端に保持部材２７が挿入されて、保持部材２７の他端２７ｂが貫通孔２９ｂの他端に至るまでのＺ軸座標の範囲で、保持部材２７が調芯される。この結果、保持部材２７は、軸Ａｘの方向に関して位置決めされる。この挿入は例えば圧入であることができる。
【００６８】
この光レセプタクル６１では、保持部材２７の向きは支持部材６９のガイド面６９ａによりしっかりと規定されるので、光レセプタクル６１及び光コネクタプラグ２３の光学系において、光コネクタプラグ２３の位置をスリーブ６７によって規定できる。
【００６９】
支持部材６９は保持部材２７の保持のための構造を有している。支持部材６９の一端部には、所定の軸の方向に延びる側壁６９ｇが設けられている。側壁６９ｇは、スリーブ６７の挿入の際にスリーブ６７を案内し、また挿入の後においてスリーブ６７を保護している。本実施例は、スリーブ６７は、保持部材２７の支持部材６９の側壁６９ｇの内側面に沿って挿入される。この挿入は例えば圧入であることができる。スリーブ６７は、支持部材６９の位置決め面２９ｈに突き当たって位置決めされる。位置決め面２９ｈは、軸Ａｘに交差する平面に沿って延びている。側壁６９ｇは位置決め面２９ｈのところで終端する。この光レセプタクル６１によれば、ガラス部材１３を保持する保持部材２７と光コネクタプラグ２３との光結合が、支持部材６９に嵌め合わされたスリーブ６７内において行われる。
【００７０】
また、スリーブ６７を保持部材２７に挿入する際に変形がいずれかの部品に生じる可能性がある。スリーブ６７の内周が保持部材２７から離れているので、この変形による構成部品間の相互干渉を避けることができる。
【００７１】
ジョイントスリーブ６３は、光レセプタクル６１を光サブアセンブリ３９に光学的に調芯して取り付けるための構造を有する。ジョイントスリーブ６３はホルダ６５の貫通孔６９ｂに繋がる貫通孔６３ｇと、搭載面６３ｈを有している。搭載面６３ｈは、所定の軸Ａｘに交差する平面に沿って延びる。ホルダ６５は、ジョイントスリーブ６３の搭載面６３ｈ上において、所定の軸Ａｘに直交する２軸（Ｘ軸及びＹ軸）の方向に関して調芯される。ジョイントスリーブ６３は、光サブアセンブリ３９を受け入れる開口部６３ａを有する。開口部６３ａは貫通孔６９ｂを介して保持部材２７の孔４１、３１に繋がっているので、光サブアセンブリ３９がガラス部材１３と光学的に結合可能である。ジョイントスリーブ６３の一端部６３ｂは、光サブアセンブリ３９を挿入する受け入れ口６３ｃを有しており、端部６３ｂから所定の事項Ａｘの方向にガイド壁６３ｄが延びている。このガイド壁６３ｄの内面６３ｅによって、光サブアセンブリ３９の外周に沿って光レセプタクル６１が移動可能になる。ジョイントスリーブ６３の他端部６３ｆには搭載面６３ｈが設けられている。
【００７２】
図９に示されるように、光モジュール４３ｂは、光レセプタクル６１及び光サブアセンブリ３９を含む。この光モジュール４３ｂによれば、光結合トレランスを大きくできる。この光モジュール４３ｂでも、光レセプタクル６１によれば、ガラス部材１３の第２の柱状部１３ｂの側面がホルダ６５の孔３１、４１の内側面３１ａ、４１ａから離れているので、ガラス部材１３の他端近傍においてホルダ６５による反射は生じない。ノイズ光の影響が低減される。また、光コネクタプラグ２３を光モジュール４３ｂに接続した光学系において、この光学系の光軸に垂直な軸の方向に対して光コネクタプラグ２３に力を加えると、光コネクタプラグ２３及び光モジュール４３ｂの光接続面を介して伝搬する光の出力値が変動する。本実施の形態のようにガラス部材１３を用いる光モジュール４３ｂにおける変動は、光ファイバを用いる光モジュールにおける変動に比べて小さい。
【００７３】
図１０は、本実施の形態に係る光レセプタクルにおける軸ずれに関するトレランスを示す図面である。図１０（ａ）は、本実施の形態に係る光レセプタクルを用いた実施例の光学部品の配置を模式的に示している。本実施の形態に係る光モジュール（発光モジュール）を基板に搭載して評価基板を作製した。光コネクタを光ファイバの一端に接続すると共に、他端に光パワーメータを接続した。この光コネクタを光モジュールに挿抜して、光結合の特性を光パワーメータを用いて測定した。
図１０（ａ）において、発光サブアセンブリ内のレーザダイオード４４は、ガラス部材１３を保持する保持部材２７の一端にレンズ５３を介して結合されている。ガラス部材１３の端部の位置に対して所定の距離ＬＤだけ手前に焦点Ｆを離している。つまりデフォーカスで結像させている。レーザの光出力とレンズの結合効率によって、最大光出力が決定され所望の光出力となるようにデフォーカスする。
【００７４】
図１０（ｂ）は、本実施の形態に係る光レセプタクルの代わりに、ファイバスタブを用いた実施例の光学部品の配置を模式的に示している。図１０（ｂ）において、レーザダイオード４４は、光ファイバ１４を保持するファイバスタブ１２の一端にレンズ５３を介して結合されている。
【００７５】
図１０（ｃ）を参照すると、Ｘ軸方向に関する結合トレランスを示す特性線ＣＡ、ＣＢが示されている。特性線ＣＡは、ガラス部材１３を用いた光レセプタクルの特性を示し、特性線ＣＢは光ファイバ１４を用いた光レセプタクルの特性を示している。図１０（ｃ）に示されるように、ガラス部材１３の使用により、結合トレランスは拡大される。以上説明したように、本実施の形態によれば、光結合トレランスを大きくできる構造の光レセプタクル及び光モジュールが提供される。
【００７６】
図１１は、１２個の光モジュールに対する実験結果を示す。横軸は、挿抜の回数を示し、縦軸は各挿入における光出力（平均値に対する変動量）を示す。これらの光モジュールは、ファイバスタブを用いた光結合を用いている。図１１の結果によれば、ウイグルの変動幅は２ｄＢ程度であり、挿抜特性の変動幅は１ｄＢ程度である。図１２は、４個の光モジュールに対する実験結果を示す。これらの光モジュールは、ガラス部材を用いた光結合を用いている。図１２の結果によれば、ウイグルの変動幅は０．５ｄＢ程度であり、挿抜特性の変動幅は０．５ｄＢ程度である。本実施の形態によれば、ウイグル及び挿抜特性における変動幅を低減可能な構造の光レセプタクル及び光モジュールが提供される。
【００７７】
好適な実施の形態において本発明の原理を図示し説明してきたが、本発明は、そのような原理から逸脱することなく配置および詳細において変更され得ることは、当業者によって認識される。本発明は、本実施の形態に開示された特定の構成に限定されるものではない。したがって、特許請求の範囲およびその精神の範囲から来る全ての修正および変更に権利を請求する。
【図面の簡単な説明】
【００７８】
【図１】図１は、一実施の形態に係る光レセプタクルの主要な構造を示す図面である。
【図２】図２は、一実施の形態に係る光レセプタクルのホルダ及びガラス部材を示す図面である。
【図３】図３は、一実施の形態に係る光レセプタクルの構成部品を示す図面である。
【図４】図４は、一実施の形態に係る光モジュールの構造を詳細に示す図面である。
【図５】図５は、一実施の形態に係る光モジュールにおける光サブアセンブリの構造を詳細に示す図面である。
【図６】図６は、別の実施の形態に係る光レセプタクルの主要な構造を示す図面である。
【図７】図７は、別の実施の形態に係る光レセプタクルのホルダ及びガラス部材を示す図面である。
【図８】図８は、別の実施の形態に係る光レセプタクルの構成部品を示す図面である。
【図９】図９は、別の実施の形態に係る光モジュールの構造を詳細に示す図面である。
【図１０】図１０は、実施の形態に係る光レセプタクルにおける軸ずれに関するトレランスを示す図面である。
【図１１】図１１は、光モジュールに対する実験結果を示す図面である。
【図１２】図１２は、実施の形態に係る光モジュールに対する実験結果を示す図面である。
【符号の説明】
【００７９】
１１…光レセプタクル、１３…柱状のガラス部材、１３ａ、１３ｂ…第１及び第２の柱状部分、１３ｃ、１３ｄ…ガラス部材端、１５…ホルダ、１７…スリーブ、１７ａ、１７ｂ…スリーブ端、２１、３１、４１…孔、２１ａ、３１ａ、４１ａ…孔の側面、２３…光コネクタプラグ、２５…光ファイバ、２７…保持部材、２７ａ、２７ｂ…保持部材端部、２７ｃ…端面、２７ｄ…外側面、２７ｅ、２７ｆ…保持部材の部分、２９…支持部材、２９ａ…ガイド面、２９ｂ…貫通孔、２９ｃ、２９ｄ…貫通孔の部分、２９ｅ…段差、２９ｆ…底面、２９ｇ…側壁、２９ｈ…位置決め面、３３…ガイド部、３５…位置決め部、３３ａ…開口部、３３ｂ…ガイド部の端部、３３ｃ…受け入れ口、３３ｄ…ガイド壁、３３ｅ…内面、３９…光サブアセンブリ、４３、４３ｂ…光モジュール、４５…半導体光素子、４７…ハウジング、４９…ステム、５１…キャップ、５３…光学窓、５５ａ、５５ｂ、５５ｃ…リード端子、６１…光レセプタクル、６３…ジョイントスリーブ、６５…ホルダ、６７…スリーブ、６７ａ、６７ｂ…スリーブ端、６９…支持部材、６９ａ…ガイド面、６９ｂ…貫通孔、６９ｇ…側壁、６３ｇ…貫通孔  
【図１】
2010054615.tif 000003
【図２】
2010054615.tif 000004
【図３】
2010054615.tif 000005
【図４】
2010054615.tif 000006
【図５】
2010054615.tif 000007
【図６】
2010054615.tif 000008
【図７】
2010054615.tif 000009
【図８】
2010054615.tif 000010
【図９】
2010054615.tif 000011
【図１０】
2010054615.tif 000012
【図１１】
2010054615.tif 000013
【図１２】
2010054615.tif 000014